(57)【要約】【課題】フットペダル側も可搬とした可搬型電子ピアノを提供することを目的とする。【解決手段】両箱体１００、２００の開口面を向かい合わせて可搬状態とし、止め金５０、５２で両箱体１００、２００を固定する。そして、扉３００を開けてフットペダル部を収納し、この収納後に扉３００を閉めて鍵９０を施錠する。次に演奏開始時には、鍵９０を解除して蓋３００を開いてフットベダル部を取り出し、再度、蓋３００を閉めてその後、止め金５０、５２を外して両箱体１００、２００を開いて楽器面を出現させる。そして、フットペダル部と電子ピアノ本体側との間で電気的な接続を確保する。かくしてユーザーは電子ピアノの演奏をできるようになる。【選択図】図１
2008152137.tif 000002
【特許請求の範囲】
【請求項１】
少なくとも鍵盤を収納固定した第１の箱体と、少なくともスピーカを収納固定した第２の箱体とを備え、両箱体の開口面を向き合わせた状態でスーツケース型にして持ち運び可能になるように構成された可搬型電子ピアノにおいて、
いずれか一方の箱体に当該電子ピアノのフットベダル部を収納可能な収納手段を備えたことを特徴とする可搬型電子ピアノ。
【請求項２】
請求項１に記載の可搬型電子ピアノにおいて、
前記収納手段は、
前記第２の箱に設けた開閉可能な扉を開けて前記フットペダル部を箱体内部に収納可能とすると共に、この扉を閉めることが可能に構成されたことを特徴とする可搬型電子ピアノ。
【請求項３】
請求項１に記載の可搬型電子ピアノにおいて、
前記収納手段は、
フットペダル部が収納可能な収納体を箱体に対して出没可能にスライドさせるように構成されたことを特徴とする可搬型電子ピアノ。
【請求項４】
請求項１、２及び３の内のいずれか一項に記載の可搬型電子ピアノにおいて、
前記スピーカーを平面型スピーカーとしたことを特徴とする可搬型電子ピアノ。
【発明の詳細な説明】
【技術分野】
【０００１】
本発明は、ピアノをスーツケース状にして持ち運ぶことができる可搬型電子ピアノの構造に関する。
【背景技術】
【０００２】
電子楽器、特にピアノに関しては、その構造を工夫した発明が従来から多数提案されている。特に、コーン型スピーカの取り付け構造について多数提案されている。スピーカーをどの位置にどのように設けるかによって、演奏者の聞き易や音質が微妙に変化するからである。例えば、２つのスピーカーボックスを楽器本体の後方下部に配設し、更に２つのスピーカーボックスの下端を床面まで延設し、両スピーカーボックスを後方脚とし、もって両スピーカーボックスと２つの前方脚とで楽器本体を支持するようにして、ピアノを前後方向に薄型としたものがあった（例えば、特許文献１参照）。
【０００３】
【特許文献１】特開２００５−２０２１８９公報（第５−８頁、第１図）
【発明の開示】
【発明が解決しようとする課題】
【０００４】
しかしながら、従来の楽器構成の提案は、スピーカーの設置構造を工夫して全体の薄型やユーザーへの聞え方の改良を図るものが殆どであった。このような状況下、最近、電子ピアノをスーツケース型の構成とし、持ち運びを可能としたものが製品化されている。しかし、フットペダル部は、楽器本体側と分離して運ぶため、可般型電子ピアノの利便性を低下させていた。
【０００５】
本発明は、かかる従来の課題を解決するためになされたもので、フットペダル側も一緒に可搬型とした可搬型電子ピアノを提供することを目的とする。
【課題を解決するための手段】
【０００６】
上記目的を達成するために、本発明は、少なくとも鍵盤を収納固定した第１の箱体と、少なくともスピーカを収納固定した第２の箱体とを備え、両箱体の開口面を向き合わせた状態でスーツケース型にして持ち運び可能になるように構成された可搬型電子ピアノにおいて、
いずれか一方の箱体に当該電子ピアノのフットベダル部を収納可能な収納手段を備えたことを特徴とするようにした。
【０００７】
この発明によれえば、収納手段によって、いずれか一方の箱体に電子ピアノのフットベダル部を収納することができ、一層可搬性に富んだ可搬型電子ピアノを実現することが可能になる。
【０００８】
より具体的には、前記収納手段を、前記第２の箱に設けた開閉可能な扉を開けて前記フットペダル部を箱体内部に収納可能とすると共に、この扉を閉めることが可能に構成したものや、フットペダル部が収納可能な収納体を箱体に対して出没可能にスライドさせるように構成したものとすれば簡易な構成の可搬型電子ピアノを実現することが可能となる。更に、上記可搬型電子ピアノのスピーカーを平面型スピーカーとすればフットペダル部の収納スペースの確保が容易となるので好ましい。
【発明の効果】
【０００９】
本発明によれば、フットペダル側も可搬とした可搬型電子ピアノを実現することができるという効果が得られる。
【発明を実施するための最良の形態】
【００１０】
以下、本発明を実施形態を図面を参照しつつ説明する。
【００１１】
先ず、図４を参照して一般的な可搬型電子ピアノの構成について説明する。図４（ａ）に示すように、この電子ピアノは箱体１００と箱体２００とが蝶番４０ａ、４０ｂ、４０ｃ、４０ｄによって接続されている。この蝶番４０ａ、４０ｂ、４０ｃ、４０ｄの回動機能によって、両箱体１００、２００は、その開口面（楽器面）を向かい合わせた状態で一体のスーツケース型のものとなるように構成されている。即ち、図４（ｂ）の符号Ｒに示すように箱体１００、２００を畳むことによって、両箱体１００、２００は、その開口面を向かい合わせた状態で一体のスーツケース型のものとなる。
【００１２】
箱体２００は外観視直方体の一面を開口部として、鍵盤１０を収納固定している。一方、箱体１００も外観視は箱体２００と同様な形状を呈しており、その開口面の左右側にはスピーカー３０、３２が収納固定され、更に、中央部のやや右側には操作子４０や表示部４２が収納固定されている。そして、両箱体１００，２００の開口面を向かい合わせた状態で１つのスーツケース状になり、箱体２００に設けられた取っ手２０を握ってそのまま運ぶことが可能となる。
【００１３】
しかし、通常、フットベダル部は、箱体１００、２００には収納されずフットペダル部だけ別に運ぶことになる。図３（ａ）はフットベダル部の平面図、図３（ｂ）は正面図である。フットペダル部は、外観視直方体状のペダルボックス８０の、長手方向両端面の一方の端面側に、ソフトペダル８２、ソステヌートペダル８４、ダンパーペダル８６の３つのペダルが設けられていて、楽器演奏時には、楽器本体側と不図示のケーブルで電気的に接続されている。なお、電子回路、電源等がペダルボックス８０内に収納固定されている。
【００１４】
図１は図４の構成を基本としてフットペダル部を収納可能とした電子ピアノの構成図である。図１（ａ）は両箱体１００、２００の開口面を向かい合わせて可搬状態とした電子ピアノの正面図、図１（ｃ）はその裏面図、図１（ｂ）は本構成を特徴的に描いた側面図である。なお、各図において、スピーカー３０、３２を点線で描いて本発明の理解容易化を図っている（以降同様）。図１に示すものは、箱体１００の長手方向の中央部に、フットベダル部が収納する空間を設け、この空間にフットペダル部を収納可能にしたものである。箱体１００の長手方向中央付近に蝶番６０、６２を設け、箱体１００と扉３００とを蝶番６０、６２で接続している。このため、箱体１００に対して扉３００は回動自在に構成されていて、扉３００の開閉操作が可能に構成されている。なお、符号３０２は、扉３００の前面部である。
【００１５】
したがって、持ち運びに際しては次のようになる。両箱体１００、２００の開口面を向かい合わせて可搬状態とし、止め金５０、５２で両箱体１００、２００を固定する。そして、扉３００を開けてフットペダル部を収納し、この収納後に扉３００を閉めて鍵９０を施錠する。なお、図１において四角形の点線は、収納されたフットペダル部を示したものである。次に演奏開始時には、鍵９０を解除して蓋３００を開いてフットベダル部を取り出し、再度、蓋３００を閉めてその後、止め金５０、５２を外して両箱体１００、２００を開いて楽器面を出現させる。そして、フットペダル部と電子ピアノ本体側との間で電気的な接続を確保する。かくしてユーザーは電子ピアノの演奏をできるようになる。
【００１６】
このように、箱体１００に電子ピアノのフットベダル部を収納することができ、一層可搬性に富んだ可搬型電子ピアノを実現することが可能になる。なお、この例では箱体１００にフットペダル部を収納するようにしたが、箱体２００側にフットペダル部を収納する構成としても良い。
【００１７】
（その他）
図２は他の構成例である。図１と図２において同一符号のものは同一物であり、重複説明を避ける。図２（ａ）は正面図、図２（ｃ）は裏面図であり、図２（ｃ）はフットペダル部（不図示）を収納固定する収納体４００の側面図である。この収納体４００の前面７２に垂直する方向に１対のレール７２が形成されている。このレール７２に対応するレール案内部４１０、４１２が箱体１００内部の支持筐体４２０に装着されていて、レール７２はこのレール案内部４１０、４１２に沿って摺動押し込み可能に構成されている。
【００１８】
図５はレール案内部４１０、４１２を備えた支持筐体４２０の正面図であり、支持筐体４２０は、箱体１００内の適宜の位置に設置されている。支持筐体４２０は、外観視直方体状のもので、その前面部は開放されその内部は空間となっている。案内部材４１０、４１２は、断面コの字型の細長い部材であり、この案内部材４１０、４１２は図面手前側から奥側に直線状に延びている。そして、案内部材４１０、４１２の夫々に、１対のレール７２を嵌め込むようになっている。したがって、収納体４００を奥側に押し込むと、レール７２と案内部材４１０、４２０とが摺動しながら嵌り合って、収納体４００が円滑に支持筐体４２０内に収まる構成となっている。
【００１９】
持ち運びに際しては次のようになる。両箱体１００、２００の開口面を向かい合わせて可搬状態とし、止め金５０、５２で両箱体１００、２００を固定する。そして、収納体４００を手前側にスライドさせ、この収納体４００にフットペダル部を収納し、このフットペダル部を収納後に収納体４００を奥側にスライドさせ、鍵９８、９８を施錠する。次に演奏開始時には、鍵９８を解除して収納体４００を手前側にスライドさせてフットベダル部を取り出し、再度、収納体４００を奥側にスライドし、その後止め金５０、５２を外して両固体１００、２００を開いて楽器面を出現させる。そして、フットペダル部と電子ピアノ本体側との間で電気的な接続を確保する。かくしてユーザーは電子ピアノの演奏をできるようになる。
【００２０】
したがって、この構成例においても、箱体１００に電子ピアノのフットベダル部を収納することができ、一層可搬性に富んだ可搬型電子ピアノを実現することが可能となる。なお、本実施形態においては、箱体１００側に操作子４０等を配置しているが、これらを箱体２００側に配置しても良い。また、スピーカーはコーン型のものを用いているが平面型スピーカーを用いると、フットペダル部の収納スペースがより十分に確保できるようになる。さらに電子回路系を箱体１００の左端部又は右端部に設けることによってもよりスペースの確保が容易になる。
【産業上の利用可能性】
【００２１】
以上説明してきたように、本発明は可搬型電子ピアノに適用して好適なものを提供することができる。
【図面の簡単な説明】
【００２２】
【図１】本発明の実施形態の構成図である。
【図２】他の実施形態の構成図である。
【図３】フットペダル部の構成図である。
【図４】可搬型電子ピアノの構成の説明図である。
【図５】スライド機構の説明図である。
【符号の説明】
【００２３】
１０  鍵盤
２０  取っ手
３０  スピーカー
３２  スピーカー
５０  止め金
６０  蝶番
６２  蝶番
８０  ベダルボックス
１００  箱体
２００  箱体
３００  蓋
３１０  蓋回動部
４００  フットペダル部収納体
３０  バネ座
３２  凸部
３４  バネ座本体部
３８  突起部
３６  孔
【図１】
2008152137.tif 000003
【図２】
2008152137.tif 000004
【図３】
2008152137.tif 000005
【図４】
2008152137.tif 000006
【図５】
2008152137.tif 000007